(57)【特許請求の範囲】
【請求項１】
筒型のアウターハウジング及び該アウターハウジングに収容されたインナーハウジングを有し、前記インナーハウジングに複数の第１端子が設けられた第１コネクタと、
前記アウターハウジングに挿入されるとともに、前記インナーハウジングが挿入される有底筒型のハウジングを有し、該ハウジングの底部内面に複数の第２端子が設けられた第２コネクタと、
前記アウターハウジングの内部に設けられ、前記インナーハウジングを前記アウターハウジングの前記ハウジングが挿入される開口端側に付勢する弾性部材と、
前記アウターハウジングの内面に設けられた突起と、
前記インナーハウジングの外面に設けられたリブと、
前記ハウジングの開口端に設けられ、前記第２コネクタが前記第１コネクタに嵌合する際、前記突起に当接して前記ハウジングの中心軸側へ弾性変形するロック部材と、を備え、
前記ロック部材は、穴部を有し、前記弾性変形したとき、先端部が前記リブに突き当たり前記弾性部材の付勢力に抗して前記インナーハウジングを係止する一方、前記穴部に前記突起が係合したとき、弾性復帰して前記インナーハウジングの係止を解除し、
前記インナーハウジングの係止が解除されたとき、前記インナーハウジングは前記弾性部材の付勢力で前記ハウジングの底部側へ移動して、前記第１端子と前記第２端子が互いに接続されることを特徴とするコネクタ。
【請求項２】
前記インナーハウジングには、隣り合う少なくとも一対の前記第２端子の導通を検出して前記第１コネクタに対する前記第２コネクタの嵌合状態を検知する導電性の嵌合検知部材が設けられることを特徴とする請求項１に記載のコネクタ。
【請求項３】
前記アウターハウジングには溝部が形成され、前記インナーハウジングには前記溝部に係合して前記インナーハウジングの移動範囲を規制する係合突起が設けられることを特徴とする請求項１又は２に記載のコネクタ。
【請求項４】
前記第２コネクタが前記第１コネクタに嵌合したとき、前記インナーハウジングの外面と前記ハウジングの内面との間にパッキンが介在していることを特徴とする請求項１乃至３のいずれかに記載のコネクタ。
【発明の詳細な説明】
【技術分野】
【０００１】
本発明は、オス型コネクタをメス型コネクタに嵌合させることで、両コネクタが互いに接続されるコネクタに関する。
【背景技術】
【０００２】
一般に、コネクタはメス型コネクタとオス型コネクタとを備えている。メス型コネクタは、筒型のアウターハウジング及びそのアウターハウジング内に収容されたインナーハウジングを有し、インナーハウジングの端面には複数のメス端子が設けられている。また、オス型コネクタは有底筒型のハウジングを有し、このハウジングの内部底面に複数のオス端子が設けられている。
【０００３】
そして、オス型コネクタをメス型コネクタに嵌合させると、インナーハウジングの端面とハウジングの内部底面とが互いに密着して、メス端子とオス端子とが電気的に接続される（例えば、特許文献１参照）。
【先行技術文献】
【特許文献】
【０００４】
【特許文献１】特開平９−１８０８１８号公報
【発明の概要】
【発明が解決しようとする課題】
【０００５】
ところで、特許文献１では、メス型コネクタにおいて、アウターハウジングの内部にコイルスプリングが設けられ、このコイルスプリングによってインナーハウジングはアウターハウジングの開口端側（インナーハウジングが嵌合される側）へ付勢されている。そのため、オス型コネクタをメス型コネクタに嵌合させるときには、コイルスプリングの付勢力に抗してオス型コネクタのハウジングをメス型コネクタのアウターハウジングに挿入し、同時にオス端子をメス端子に押し込まなければならない。
【０００６】
すなわち、特許文献１においては、オス型コネクタのハウジングをメス型コネクタのアウターハウジングに挿入する挿入力と、オス端子をメス端子に押し込む押し込み力とを同時に加えなければならないため、オス型コネクタをメス型コネクタに嵌合させる際の操作力が過大になるという問題がある。
【０００７】
本発明が解決しようとする課題は、オス型コネクタをメス型コネクタに嵌合させる際の操作力の低減を図ることのできるコネクタを提供することにある。
【課題を解決するための手段】
【０００８】
上記課題を解決するため、本発明は、筒型のアウターハウジング及び該アウターハウジングに収容されたインナーハウジングを有し、インナーハウジングに複数の第１端子が設けられた第１コネクタと、アウタハウジングに挿入されるとともに、インナーハウジングが挿入される有底筒型のハウジングを有し、該ハウジングの底部内面に複数の第２端子が設けられた第２コネクタと、アウターハウジングの内部に設けられ、インナーハウジングをアウターハウジングのハウジングが挿入される開口端側に付勢する弾性部材と、を備え、第２コネクタが第１コネクタに嵌合する際に弾性部材の付勢力に抗してインナーハウジングの位置を係止させ、第２コネクタが第１コネクタに嵌合したときに弾性部材が弾性復帰することによりインナーハウジングがハウジングの底部側へ移動して、第１端子と第２端子が互いに接続されることを特徴とする。
【０００９】
これによれば、第２コネクタを第１コネクタに嵌合させる際、第２コネクタのハウジングを第１コネクタのアウターハウジングに挿入させるタイミングと、第２端子と第１端子を互いに接続させるタイミングとを時間的にずらして行うことができる。その結果、第２コネクタを第１コネクタに挿入させる挿入力と、第１端子と第２端子を互いに接続させる力、例えば第２端子を第１端子に押し込む押し込み力とが同時に生じることがなく、第２コネクタを第１コネクタに嵌合させる際の操作力が過大になるのを回避することができる。
【００１０】
具体的に、本発明は、筒型のアウターハウジング及び該アウターハウジングに収容されたインナーハウジングを有し、インナーハウジングに複数の第１端子が設けられた第１コネクタと、アウタハウジングに挿入されるとともに、インナーハウジングが挿入される有底筒型のハウジングを有し、該ハウジングの底部内面に複数の第２端子が設けられた第２コネクタと、アウターハウジングの内部に設けられ、インナーハウジングをアウターハウジングのハウジングが挿入される開口端側に付勢する弾性部材と、アウターハウジングの内面に設けられた突起と、インナーハウジングの外面に設けられたリブと、ハウジングの開口端に設けられ、第２コネクタが第１コネクタに嵌合する際、突起に当接してハウジングの中心軸側へ弾性変形するロック部材と、を備え、ロック部材は、穴部を有し、弾性変形したとき、先端部がリブに突き当たり弾性部材の付勢力に抗してインナーハウジングを係止する一方、穴部に突起が係合したとき、弾性復帰してインナーハウジングの係止を解除し、インナーハウジングの係止が解除されたとき、インナーハウジングは弾性部材の付勢力でハウジングの底部側へ移動して、第１端子と第２端子が互いに接続されることを特徴とする。
【００１１】
この場合において、インナーハウジングには、隣り合う少なくとも一対の第２端子の導通を検出して第１コネクタに対する第２コネクタの嵌合状態を検知する導電性の嵌合検知部材が設けられていることを特徴とする。
【００１２】
これによれば、隣り合う一対の第２端子の導通を嵌合検知部材が検出したとき、第１コネクタに対する第２コネクタの嵌合状態が完全であると判断することができる。
【００１３】
また、アウターハウジングには溝部が形成され、インナーハウジングには溝部に係合してインナーハウジングの移動範囲を規制する係合突起が設けられていることが好ましい。
【００１４】
これによれば、アウターハウジングの溝部にインナーハウジングの係合突起が係合して、インナーハウジングの移動範囲が規制されているので、インナーハウジングがアウターハウジングから外れるのを防ぐことができる。
【００１５】
また、第２コネクタが第１コネクタに嵌合したとき、インナーハウジングの外面とハウジングの内面との間にパッキンが介在していることを特徴とする。
【００１６】
これによれば、インナーハウジングの外面とハウジングの内面との間にパッキンが介在していることにより、第１端子や第２端子が設けられた部分への水の浸入を防ぐことができる。
【発明の効果】
【００１７】
本発明によれば、オス型コネクタ（第２コネクタ）をメス型コネクタ（第１コネクタ）に嵌合させる際の操作力の低減を図ることができる。
【図面の簡単な説明】
【００１８】
【図１】オス型コネクタをメス型コネクタに嵌合させたときの外観斜視図である。
【図２】図１をＳＡ−ＳＡ線を含む平面で切断して上部分を下側から見たときの図である。
【図３】メス型コネクタにおいてインナーハウジングが収容されたアウターハウジングの外観斜視図である。
【図４】図３のＳＢ−ＳＢ線に沿った断面図である。
【図５】メス型コネクタにおけるインナーハウジングの外観斜視図である。
【図６】ハウジングを含むオス型コネクタの外観斜視図である。
【図７】実施例１においてオス型コネクタをメス型コネクタに嵌合させる手順を示しており、（ａ）はオス型コネクタをメス型コネクタに嵌合させる前の状態を示す図、（ｂ）はロック部材が変形した様子を示す図、（ｃ）はロック部材の穴部に突起が係合した様子を示す図、（ｄ）はメス端子にオス端子が押し込まれた様子を示す図である。
【図８】実施例２においてオス型コネクタをメス型コネクタに嵌合させる手順を示しており、（ａ）はオス型コネクタをメス型コネクタに嵌合させる前の状態を示す図、（ｂ）はロック部材が変形した様子を示す図、（ｃ）はロック部材の穴部に突起が係合した様子を示す図、（ｄ）は嵌合検知部材がオス端子に接触した様子を示す図である。
【発明を実施するための形態】
【００１９】
以下、本発明が適用されるコネクタの実施形態を図面を参照して説明する。
【実施例】
【００２０】
（実施例１）
図１は、オス型コネクタをメス型コネクタに嵌合させたときの外観斜視図、図２は、図１をＳＡ−ＳＡ線を含む水平面で切断して上の部分を下方側から見たときの図である。
【００２１】
図１及び図２に示すように、コネクタ１０は、第１コネクタとしてのメス型コネクタ１１と、第２コネクタとしてのオス型コネクタ１２とを備えている。メス型コネクタ１１は、アウターハウジング１３及びアウターハウジング１３内に収容されたインナーハウジン１４を有している。
【００２２】
アウターハウジング１３は、図３に示すように、筒型形状を成しており、その一側（図において左側）に端部壁１３Ａが、他側（図において右側）に開口端１３Ｂ（図４も参照）がそれぞれ形成されている。またアウターハウジング１３は、図１に示すように、矢印Ａ方向から見ると４つの角部が丸みを帯びた略矩形に形成されている。
【００２３】
アウターハウジング１３には一側の端部壁１３Ａに開口部１３Ｃが形成されている。またアウターハウジング１３には、他側の開口端１３Ｂからインナーハウジング１４が挿入されている（図２参照）。
【００２４】
アウターハウジング１３の上部壁１３Ｄ及び端部壁１３Ａ（端部壁１３Ａのうち開口部１３Ｃの上方部分）には２本のスリット１３Ｅ，１３Ｅがそれぞれ形成され、また端部壁１３Ａには２本のスリット１３Ｅ，１３Ｅの間に操作穴１３Ｆが形成されている。ここで、上部壁１３Ｄ及び端部壁１３Ａは板状を成しており、スリット１３Ｅ,１３Ｅは上部壁１３Ｄや端部壁１３Ａを貫通して形成されている。このような構成により、人が指先を操作穴１３Ｆに当ててスリット１３Ｅ,１３Ｅ間の部分を上方へ引き上げることにより、上部壁１３Ｄ及び端部壁１３Ａのうちスリット１３Ｅ,１３Ｅ間の部分を上方へ変形させることができる。
【００２５】
また、アウターハウジング１３の左右両側の側部壁１３Ｇ，１３Ｇには、端部壁１３Ａに近い部分に溝部１３Ｈ,１３Ｈがそれぞれ形成され、これら溝部１３Ｈ，１３Ｈには、インナーハウジング１４の左右両側に設けられた係合突起１４Ａ，１４Ａ（図２参照）がそれぞれ係合されている。
【００２６】
ここで、図４は、図３のＳＢ−ＳＢ線に沿った断面図である。図に示すように、アウターハウジング１３の上部壁１３Ｄの下面のうち、上記スリット１３Ｅ,１３Ｅ（図１及び図３参照）で挟まれた部分には１つの突起１３Ｉが下方に突出して形成されている。この突起１３Ｉの一側側面（図において右側側面）は、上部が開口端１３Ｂに接近し、下部が開口端１３Ｂから離れるよう斜めに形成されている。すなわち、突起１３Ｉは開口端１３Ｂに近い側に傾斜面１３Ｊを有する。
【００２７】
インナーハウジング１４には、図５に示すように、その一側（図において左側）に円形穴を有する部分が連続して配置され、各円形穴にリード線が挿通されるリード線挿通部１４Ｂが設けられている。またインナーハウジング１４には、その他側（図において右側）に、前記リード線が接続され第１端子としての複数のメス端子２０（図７参照）が取り付けられた端子取付部１４Ｃが設けられている。なお、前記リード線はアウターハウジング１３の端部壁１３Ａに形成された開口部１３Ｃを通ってアウターハウジング１３の外部へと繋げられる。
【００２８】
端子取付部１４Ｃの外周にはパッキン２２（図７参照）が設けられ、このパッキン２２はリード線挿通部１４Ｂと端子取付部１４Ｃとの間に設けられた板状のフランジ１４Ｄにより位置決めされて保持される。
【００２９】
フランジ１４Ｄは、端子取付部１４Ｃの外周全体に設けられてはおらず、端子取付部１４Ｃの上面中央部に切り欠き部１４Ｅが形成されている。そして、リード線挿通部１４Ｂの上面には切り欠き部１４Ｅに対向してリブ１４Ｆが上方に突出して設けられている。リブ１４Ｆには、ハウジング１２Ｂのロック部材１２Ａ（図６参照）が変形したときに、そのロック部材１２Ａの先端部が突き当たる。
【００３０】
また、リード線挿通部１４Ｂの左右下部にはコイルスプリング挿入部１４Ｇ,１４Ｇが設けられ、これらコイルスプリング挿入部１４Ｇ,１４Ｇには弾性部材としてのコイルスプリング１５，１５（図２参照）が挿入される。コイルスプリング１５，１５は、図２に示すように、一端がアウターハウジング１３の端壁部１３Ａに、他端がコイルスプリング挿入部１４Ｇ，１４Ｇの底面にそれぞれ支持されている。
【００３１】
図６は、オス型コネクタ１２の外観斜視図である。オス型コネクタ１２は、有底筒型形状のハウジング１２Ｂを有している。ハウジング１２Ｂは、その一側（図において左側）に開口端１２Ｃが、他側（図において右側）に端部壁１２Ｄ（図２及び図７参照）がそれぞれ設けられている。また、ハウジング１２Ｂは、矢印Ｂ方向から見ると４つの角部が丸みを帯びた矩形に形成されている。図１及び図２に示すように、オス型コネクタ１２はメス型コネクタ１１に嵌合され、このとき、ハウジング１２Ｂの開口端１２Ｃはアウターハウジング１３の開口端１３Ｂに挿入されるとともに、ハウジング１２Ｂの開口端１２Ｃにはインナーハウジング１４が挿入される。
【００３２】
図６に示すように、ハウジング１２Ｂの上部壁１２Ｅには、開口端１２Ｃまで達する２本のスリット１２Ｆ，１２Ｆがそれぞれ形成されている。ここで、上部壁１２Ｅは板状を成しており、スリット１２Ｆ,１２Ｆは上部壁１２Ｅを貫通して形成されている。このような構成により、スリット１２Ｆ,１２Ｆの部分は下方に容易に弾性変形することが可能となる。なお、スリット１２Ｆ,１２Ｆで挟まれた部分はロック部材１２Ａを構成している。
【００３３】
ロック部材１２Ａにはその略中央部分に穴部としての貫通穴１２Ｇが形成されており、この貫通穴１２Ｇは、アウターハウジング１３の上部壁１３Ｄの下面に形成された突起１３Ｉに対応して設けられている。つまり、貫通穴１２Ｇに突起１３Ｉが係合可能となっている。
【００３４】
また、ハウジング１２Ｂの端部壁１２Ｄの内面（ハウジング１２Ｂの底面）には、第２端子として複数のオス端子２１（図７参照）が設けられている。
【００３５】
次に、本実施例の作用について図７を参照しながら説明する。
【００３６】
先ず、同図（ａ）に示すように、メス型コネクタ１１にはアウターハウジング１３の内部にインナーハウジング１４が収納されている。そして、アウターハウジング１３の開口端１３Ｂに、オス型コネクタ１２のハウジング１２Ｂの開口端１２Ｃが対向するようにオス型コネクタ１２を配置する。
【００３７】
次に、同図（ｂ）に示すように、オス型コネクタ１２をコイルスプリング１５，１５の付勢力に抗してメス型コネクタ１１に挿入する。このとき、アウターハウジング１３に設けられた突起１３Ｉがハウジング１２Ｂのロック部材１２Ａに当接し、ロック部材１２Ａをハウジング１２Ｂの中心軸側へ変形させる。この場合、突起１３Ｉの側部が傾斜面１３Ｊ（図４参照）になっているので、ロック部材１２Ａは突起１３Ｉに容易に乗り上げることができる。
【００３８】
なお、同図（ｂ）の状態は半嵌合状態であるから、オス型コネクタ１２の挿入を解くと、オス型コネクタ１２はコイルスプリング１５，１５の付勢力で押し戻され、メス型コネクタ１１から外れてしまう。
【００３９】
上記のようにロック部材１２Ａが変形すると、ロック部材１２Ａの先端部が、インナーハウジング１４の外面に設けられたリブ１４Ｆに突き当たって、その位置にインナーハウジング１４を一旦係止させる。
【００４０】
さらにオス型コネクタ１２を挿入していくと、同図（ｃ）に示すように、ハウジング１２Ｂのロック部材１２Ａの貫通穴１２Ｇの位置がアウターハウジング１３の突起１３Ｉに一致するので、ロック部材１２Ａは弾性復帰し、貫通穴１２Ｇに突起１３Ｉが係合する。これにより、オス型コネクタ１２は、メス型コネクタ１１に嵌合される。
【００４１】
このとき、ロック部材１２Ａによるインナーハウジング１４の係止状態が解除されるので、インナーハウジング１４は、同図（ｄ）に示すように、コイルスプリング１５，１５が弾性復帰するときの付勢力によってハウジング１２Ｂの端部壁１２Ｄ側（つまりハウジング１２Ｂの底部側）へ移動する。このようにインナーハウジング１４がハウジング１２Ｂの底部側へ移動することで、インナーハウジング１４内のメス端子２０にハウジング１２Ｂ底部のオス端子２１が押し込まれる。すなわち、メス端子２０とオス端子２１が互いに接続される。なお、図７において、メス端子２０及びオス端子２１は紙面垂直方向に複数個並んで設けられている。
【００４２】
本実施例によれば、オス型コネクタ１２をメス型コネクタ１１に嵌合させる際に、オス型コネクタ１２のハウジング１２Ｂをメス型コネクタ１１のアウターハウジング１３に挿入させるタイミングと、オス端子２１をメス端子２０に押し込むタイミングが時間的にずれて行われるので、メス型コネクタ１１に対するオス型コネクタ１２の挿入力と、メス端子２０に対するオス端子２１の押し込み力とが同時に生じることがなく、その結果、オス側コネクタ１２をメス型コネクタ１１に嵌合させる際の操作力を低減させることができる。
【００４３】
また、本実施例においては、アウターハウジング１３に溝部１３Ｈ，１３Ｈが、インナーハウジング１４に溝部１３Ｈ，１３Ｈに係合する係合突起１４Ａ，１４Ａがそれぞれ形成されているので、溝部１３Ｈ，１３Ｈによって係合突起１４Ａ，１４Ａの移動範囲を規制することで、コイルスプリング１５，１５によって付勢されたインナーハウジング１４がアウターハウジング１３から外れるのを防ぐことができる。
【００４４】
さらに、本実施例においては、オス型コネクタ１２がメス型コネクタ１１に嵌合したときに、メス型コネクタ１１のインナーハウジング１４の外面とオス型コネクタ１２のハウジング１２Ｂの内面との間にはパッキン２２が介在しているので、メス端子２０やオス端子２１が設けられた部分への水の浸入を防ぐことができる。
【００４５】
また、本実施例においては、アウターハウジング１３の端部壁１３Ａ及び上部壁１３Ｄにスリット１３Ｅ,１３Ｅを設け、さらに端部壁１３Ａのうちスリット１３Ｅ，１３Ｅ間に操作穴１３Ｆを設けたので、人が指先を操作穴１３Ｆに当ててスリット１３Ｅ,１３Ｅ間の部分を上方へ引き上げることにより、上部壁１３Ｄのうちスリット１３Ｅ,１３Ｅ間の部分だけを上方へ変形させることで、オス型コネクタ１２をメス型コネクタ１１から容易に取り外すことができる。
【００４６】
（実施例２）
次に、実施例２について図８を参照しながら説明する。
【００４７】
本実施例では、メス型コネクタ１１のインナーハウジング１４に、隣り合う少なくとも一対のオス端子２１の導通を検出して、メス型コネクタ１１に対するオス型コネクタ１２の嵌合状態を検知する導電性の嵌合検知部材２５が設けられている。なお、嵌合検知部材２５は金属製のばね状部材で形成されている。
【００４８】
先ず、同図（ａ）に示すように、メス型コネクタ１１にはアウターハウジング１３の内部にインナーハウジング１４が収納されている。そして、アウターハウジング１３の開口端１３Ｂに、オス型コネクタ１２のハウジング１２Ｂの開口端１２Ｃが対向するようにオス型コネクタ１２を配置する。
【００４９】
次に、同図（ｂ）に示すように、オス型コネクタ１２をコイルスプリング１５，１５の付勢力に抗してメス型コネクタ１１に嵌合させる。このとき、アウターハウジング１３に設けられた突起１３Ｉがハウジング１２Ｂのロック部材１２Ａに当接し、ロック部材１２Ａをハウジング１２Ｂの中心軸側へ変形させる。
【００５０】
ロック部材１２Ａが変形すると、ロック部材１２Ａの先端部が、インナーハウジング１４の外面に設けられたリブ１４Ｆに突き当たって、その位置にインナーハウジング１４を一旦係止させる。
【００５１】
さらにオス型コネクタを挿入すると、同図（ｃ）に示すように、ハウジング１２Ｂのロック部材１２Ａの貫通穴１２Ｇの位置がアウターハウジング１３の突起１３Ｉに一致するので、ロック部材１２Ａは弾性復帰し、これにより貫通穴１２Ｇに突起１３Ｉが係合する。
【００５２】
ロック部材１２Ａが弾性復帰すると、ロック部材１２Ａによるインナーハウジング１４の係止状態が解除され、インナーハウジング１４は、同図（ｄ）に示すように、コイルスプリング１５，１５の付勢力でハウジング１２Ｂの端部壁１２Ｄ側（つまりハウジング１２Ｂの底部側）へ移動する。
【００５３】
このようにインナーハウジング１４がハウジング１２Ｂの底部側へ移動することで、インナーハウジング１４内のメス端子２０にハウジング１２Ｂのオス端子２１が押し込まれる。
【００５４】
この場合、オス端子２１のうち隣り合う一対のオス端子２１に外部から電圧をかけておき、当該一対のオス端子２１をインナーハウジング１４側の嵌合検知部材２５に押し込んだとき、両オス端子２１間に電流が流れるか否か検出する。電流が流れれば、一対のオス端子２１が導電性の嵌合検知部材２５に完全に接触したことを示しており、メス型コネクタ１１に対するオス型コネクタ１２の嵌合状態が完全であると判断できる。
【００５５】
なお、本実施例では、隣り合う一対のオス端子２１に外部から電圧をかけておいたが、これに限らず、隣り合わなくとも２本のオス端子２１に電圧をかけておき、これらのオス端子２１間の導通を嵌合検知部材２５で検出するようにしてもよい。
【００５６】
以上、本発明の各実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００５７】
例えば、上記各実施例においては、ロック部材１２Ａが一対のスリット１３Ｅ，１３Ｅ間に形成されていたが、これに限らず、ロック部材１２Ａは、アウターハウジング１３の端部壁１３Ａより前方へ突出して設けられたものでもよい。
【００５８】
また、上記各実施例においては、インナーハウジング１４にメス端子２０が、ハウジング１２Ｂにオス端子２１がそれぞれ設けられていたが、インナーハウジング１４にオス端子２１を、ハウジング１２Ｂにメス端子２０をそれぞれ設けるようにしてもよい。
【符号の説明】
【００５９】
１０  コネクタ
１１  メス型コネクタ（第１コネクタ）
１２  オス型コネクタ（第２コネクタ）
１２Ａ  ロック部材
１２Ｂ  ハウジング
１２Ｃ  開口端
１２Ｄ  端部壁
１２Ｅ  上部壁
１２Ｆ  スリット
１２Ｇ  貫通穴（穴部）
１３  アウターハウジング
１３Ａ  端部壁
１３Ｂ  開口端
１３Ｃ  開口部
１３Ｄ  上部壁
１３Ｅ  スリット
１３Ｆ  操作穴
１３Ｈ  溝部
１３Ｉ  突起
１４  インナーハウジング
１４Ａ  係合突起
１４Ｄ  フランジ
１４Ｆ  リブ
１５  コイルスプリング（弾性部材）
２０  メス端子（第１端子）
２１  オス端子（第２端子）
２２  パッキン
２５  嵌合検知部材
【図１】
0006783077.tif 000002
【図２】
0006783077.tif 000003
【図３】
0006783077.tif 000004
【図４】
0006783077.tif 000005
【図５】
0006783077.tif 000006
【図６】
0006783077.tif 000007
【図７】
0006783077.tif 000008
【図８】
0006783077.tif 000009